(57)【要約】【課題】衛生的で且つ使い勝手に優れる機能を維持したまま、構成の簡素化とコストの削減を図ることができるカップ容器を提案する。【解決手段】本発明のカップ容器は、フランジ４を備えるカップ型の容器本体１と、フランジ４に固着されて容器本体１を封止するシール材２１とを備え、シール材２１は、フランジ４側に位置する基部シート２２と、基部シート２２に対して剥離可能に積層されて剥離時において基部シート２２に飲み口２６を出現させるとともに、少なくとも１つのスリット２８、２９又は開口を有する被覆シート２３とを有し、フランジ４は、破断分離可能であって被覆シート２３に固着される摘み片５と、スリット２８、２９又は開口を挿通させて剥離させた被覆シート２３を係止する係合突片９と、を有する。【選択図】図１
2020083466.tif 000002
【特許請求の範囲】
【請求項１】
フランジを備えるカップ型の容器本体と、該フランジに固着されて該容器本体を封止するシール材とを備え、
前記シール材は、前記フランジ側に位置する基部シートと、該基部シートに対して剥離可能に積層されて剥離時において該基部シートに飲み口を出現させるとともに、少なくとも１つのスリット又は開口を有する被覆シートとを有し、
前記フランジは、破断分離可能であって前記被覆シートに固着される摘み片と、前記スリット又は前記開口を挿通させて剥離させた前記被覆シートを係止する係合突片と、を有するカップ容器。
【請求項２】
前記係合突片は、前記容器本体の中心軸線に対して前記摘み片の逆側に設けられ、
前記スリット又は前記開口は、前記被覆シートの剥がし方向に対して異なる位置に複数設けられる請求項１に記載のカップ容器。
【請求項３】
前記摘み片は、固着された前記被覆シートに対して逆側に突出する突起を有する請求項１又は２に記載のカップ容器。
【請求項４】
前記被覆シートは、前記係合突片に前記スリット又は前記開口を挿通させる位置まで剥離した際に、
前記基部シートに空気置換孔を出現させるものである請求項１〜３の何れか一項に記載のカップ容器。
【発明の詳細な説明】
【技術分野】
【０００１】
本発明は、カップ型の容器本体と、この容器本体を封止するシール材とを備えるカップ容器に関する。
【背景技術】
【０００２】
従来、飲料などを収容する容器として、カップ型の容器本体と、この容器本体を封止するシール材とを備えるカップ容器が知られている。
【０００３】
例えば特許文献１には、合成樹脂製の容器本体と蓋体とを備えるとともに、蓋体に固着されるカバーフィルムを備える容器が示されている。この容器では、蓋体の天壁の内側においてこの天壁にヒンジ状に連結するプルタブ片が設けられていて、カバーフィルムに設けた摘み片を摘まんで引き上げると、プルタブ片の縁部に沿ってカバーフィルムが引き裂かれつつプルタブ片が引き上げられ、これによって飲み口が形成されるように構成している。また引き上げられたプルタブ片は、係止片によって固定することが可能であるため、容器の中身を飲む際に、プルタブ片が邪魔になることがない。
【先行技術文献】
【特許文献】
【０００４】
【特許文献１】特許第４０６１６１４号公報
【発明の概要】
【発明が解決しようとする課題】
【０００５】
このように特許文献１の容器は、カバーフィルムによってプルタブ片が覆われているために衛生的であって、また中身を飲む際にはプルタブ片が邪魔にならないので使い勝手に優れるものであるが、このような機能を維持しながら部品点数を減らすことができれば、構成が簡素化できるうえにコストの削減も図ることができてより好ましい。
【０００６】
本発明は、このような観点に基づいてなされたものであって、衛生的で且つ使い勝手に優れる機能を維持したまま、構成の簡素化とコストの削減を図ることができるカップ容器を提供することを目的とする。
【課題を解決するための手段】
【０００７】
本発明は、フランジを備えるカップ型の容器本体と、該フランジに固着されて該容器本体を封止するシール材とを備え、
前記シール材は、前記フランジ側に位置する基部シートと、該基部シートに対して剥離可能に積層されて剥離時において該基部シートに飲み口を出現させるとともに、少なくとも１つのスリット又は開口を有する被覆シートとを有し、
前記フランジは、破断分離可能であって前記被覆シートに固着される摘み片と、前記スリット又は前記開口を挿通させて剥離させた前記被覆シートを係止する係合突片と、を有するカップ容器である。
【０００８】
前記係合突片は、前記容器本体の中心軸線に対して前記摘み片の逆側に設けられ、
前記スリット又は前記開口は、前記被覆シートの剥がし方向に対して異なる位置に複数設けられることが好ましい。
【０００９】
前記摘み片は、固着された前記被覆シートに対して逆側に突出する突起を有することが好ましい。
【００１０】
前記被覆シートは、前記係合突片に前記スリット又は前記開口を挿通させる位置まで剥離した際に、
前記基部シートに空気置換孔を出現させるものであることが好ましい。
【発明の効果】
【００１１】
本発明のカップ容器によれば、特許文献１の容器で使用していた蓋体が不要になるため、部品点数が削減されて構成の簡素化、及びコストの削減を図ることができる。また飲み口は、シール材を構成する被覆シートを剥がす前は隠れていて、これを剥がすことで出現するものであるため、飲み口に埃等が付着することがなく、衛生的に優れている。更に、被覆シートに設けたスリット又は開口を係合突起に挿通させることによって、剥離させた被覆シートを係止することができるため、容器本体に収容した内容液を飲む際に被覆シートが邪魔にならず、使い勝手にも優れている。
【００１２】
係合突片を、容器本体の中心軸線に対して摘み片の逆側に設け、スリット又は開口を、被覆シートの剥がし方向に対して異なる位置に複数設ける場合は、係合突起に挿通させるスリット又は開口を変える事で被覆シートを係止する位置を変えることができるため、使用者の好みに合う使用方法を選択することができる。
【００１３】
摘み片に、固着された基部シートに対して逆側に突出する突起を設ける場合は、剥離させた被覆シートを元のように戻した際に、この突起をフランジに引っ掛けて被覆シートの浮き上がりを防止することができるため、一旦開封した後でも飲み口を被覆シートで覆うことができる。
【００１４】
また被覆シートが、係合突片にスリット又は開口を挿通させる位置まで剥離した際に、基部シートに空気置換孔を出現させるものである場合は、飲み口から内容液が注出される際には空気置換口から容器本体内に外気を取り込むことができるため、内容液をスムーズに飲むことができる。
【図面の簡単な説明】
【００１５】
【図１】本発明に従うカップ容器の一実施形態を示す、平面図と側面視での半断面図である。
【図２】図１に示す状態から被覆シートを剥がして、摘み片の近傍に設けたスリットを係合突起に挿通させた状態を示す図である。
【図３】図２に示す状態から更に被覆シートを剥がして、摘み片から離れた位置に設けたスリットを係合突起に挿通させた状態を示す図である。
【図４】剥がした被覆シートを元のように戻し、摘み片に設けた突起をフランジに引っ掛けた状態を示す図である。
【発明を実施するための形態】
【００１６】
以下、本発明に従うカップ容器の一実施形態について図１〜図４を参照しながら説明する。なお、本明細書等における「上」、「下」の関係は、特に言及しない場合は、図１に示すように容器本体（符号１）を正立させた状態での向きをいう。また、摘み片（符合５）を設けた側を「前」、係合突片（符合９）を設けた側を「後」とし、前から後に向かって見る際の右側及び左側を、「右」、「左」として説明する。
【００１７】
図１に示すカップ容器は、容器本体１と、シール材２１で構成されている。
【００１８】
本実施形態の容器本体１は合成樹脂製であって、上げ底状に形成された底部２と、底部２の外縁部に連結する円筒状の胴部３と、胴部３の上端部から径方向外側に広がるフランジ４とを備えている。そして底部２及び胴部３の内側には、内容液が収容される収容空間Ｓが形成されている。
【００１９】
フランジ４は、その前側において、平面視で概略三角形状に形成された摘み片５を備えている。摘み片５の根元には、薄肉状の弱化部６が設けられていて、この弱化部６で破断させることによって、摘み片５は元のフランジ４から分離させることができる。また摘み片５の下面には、下側に向けて突出するとともに左右両側に長く延在する突起７が設けられている。
【００２０】
また、フランジ４の後側には、平面視で矩形状になる切り欠き８と、切り欠き８を挟んで左右両側に位置する一対の係合突片９が設けられている。また、それぞれの係合突片９の後側下面には、下側に向けて半球状に突出する凸部１０が設けられている。
【００２１】
シール材２１は、下側に位置する基部シート２２と上側に位置する被覆シート２３で構成されるものであり、被覆シート２３は、基部シート２２に対して剥離可能に積層されている。なお、基部シート２２と被覆シート２３が重なる部分の全域が剥離可能でなくてもよく、一部に剥離不能の部分があってもよい。基部シート２２と被覆シート２３は、例えばシート状の合成樹脂や金属箔によって形成されるものである。また基部シート２２と被覆シート２３のそれぞれの構成は、シート状の素材を一枚使用した単層構造でもよいし、複数種類の素材を重ねた積層構造であってもよい。
【００２２】
基部シート２２は、図１に示すように平面視において、フランジ４に合わせて円形状に形作られている。また基部シート２２の前方には、平面視で三角形状をなすように延在する飲み口形成用スリット２４が設けられていて、基部シート２２の中央部（容器本体１の中心軸線Ｏに対応する位置）には、平面視で円形状になるように延在する空気置換孔形成用スリット２５が設けられている。ここで飲み口形成用スリット２４と空気置換孔形成用スリット２５は、図２に示すように、基部シート２２から被覆シート２３を剥離させたときに破断して、基部シート２２に三角形状の貫通開口（飲み口）２６と円形状の貫通開口（空気置換孔）２７を形成するものである。なお、基部シート２２と被覆シート２３との剥離強度と、飲み口形成用スリット２４と空気置換孔形成用スリット２５の破断強度との関係によっては、基部シート２２から被覆シート２３を剥離させても飲み口形成用スリット２４と空気置換孔形成用スリット２５が破断しないおそれがある。このような場合には、飲み口形成用スリット２４と空気置換孔形成用スリット２５の内側の領域が被覆シート２３に対して部分的に剥離不能となるように構成することが好ましく、これにより、飲み口形成用スリット２４と空気置換孔形成用スリット２５を確実に破断させることができる。また、飲み口形成用スリット２４と空気置換孔形成用スリット２５に替えて、予め基部シート２２に対して、飲み口２６や空気置換孔２７になる貫通開口を設けてもよい。そして基部シート２２は、接着剤や高周波溶着などを利用して、その外周部がフランジ４に固着される。
【００２３】
また被覆シート２３は、図1に示すように、右側、後側、左側は基部シート２２と略同径の円形状である一方、前側は摘み片５に合わせて概略三角形状に形作られている。また被覆シート２３における摘み片５の近傍には、突起７を挟んで左右方向に延在する一対のスリット（前側スリット）２８が設けられている。また被覆シート２３には、容器本体１の中心軸線Ｏよりも後側において、左右方向に延在する一対のスリット（後側スリット）２９が設けられている。このような形状になる被覆シート２３において、基部シート２２に重なる部分は、基部シート２２に対して剥離可能に積層され（上述したように、一部に剥離不能の部分があってもよい）、摘み片５に重なる部分は、摘み片５に固着されている。なお、本実施形態の前側スリット２８、後側スリット２９は、被覆シート２３を線状に切り込む切れ目であるが、開口（貫通孔）であってもよい。
【００２４】
このような形態になるカップ容器においては、従来のカップ容器で使用していた蓋体が不要になるため、部品点数が削減されて構成の簡素化、及びコストの削減を図ることができる。また、基部シート２２に飲み口２６と空気置換孔２７が設けられているものの、これらは被覆シート２３で覆われているため、埃等が容器本体１の内部に入り込むことはない。また、前側スリット２８と後側スリット２９は、被覆シート２３のみに設けられているため、これらのスリットを通して外気が容器本体１内に入り込むこともない。すなわち本実施形態のカップ容器は、衛生面で優れるうえ、外気に触れることによる内容液の品質劣化を抑制することも可能である。
【００２５】
そして、容器本体１に収容した内容液を飲む際には、摘み片５を指で摘まんで上下方向に力を加えることによって弱化部６を破断させ、摘み片５をフランジ４から分離させる。その後は、摘み片５を摘まんだまま引き上げれば、飲み口形成用スリット２４と空気置換孔形成用スリット２５を破断させて、飲み口２６と空気置換孔２７を出現させることができる。
【００２６】
ここで本実施形態においては、図２に示すように被覆シート２３を後側に回り込ませ、更に、左右の前側スリット２８のそれぞれに、左右の係合突片９を挿通させることによって、飲み口２６と空気置換孔２７を露出させた状態で被覆シート２３を係止することができる。すなわち、飲み口２６から内容液を飲む際に、剥がした被覆シート２３が邪魔になることがなく、使い勝手に優れている。なお、左右の前側スリット２８の間には突起７が設けられているが、隣り合う係合突片９の間には切り欠き８が設けられているため、前側スリット２８に係合突片９を挿通させるにあたって突起7が邪魔になることはない。また本実施形態においては、係合突片９の下面に凸部１０を設けていて、係合突片９に挿通させた前側スリット２８は凸部１０に引っ掛かって抜けにくくなっている。このため、前側スリット２８が係合突片９から不用意に外れることもない。また、内容液が減るに従って、容器本体１には空気置換孔２７から外気が取り込まれるため、内容液が出にくくなることもない。
【００２７】
また本実施形態においては、図３に示すようにして被覆シート２３を係止することも可能である。図３においては、左右の後側スリット２９のそれぞれに、左右の係合突片９を挿通させている。ここで、基部シート２２に対して被覆シート２３を大きく剥がした場合においては、図２に示す係止方法では被覆シート２３が基部シート２２の上方で大きく撓むため、内容液を飲む際に被覆シート２３が邪魔になるおそれがあるが、図３に示すようにして被覆シート２３を係止することによって、このようなおそれがなくなる。
【００２８】
更に本実施形態においては、開封後に内容液が容器本体１に残っている場合でも、図４に示すようにして飲み口２６と空気置換孔２７を被覆シート２３で覆うことができる。図４においては、剥がした被覆シート２３を元のように戻すとともに、被覆シート２３の前側に固着されている摘み片５を下方に指向させるようにして、突起７をフランジ４に引っ掛けている。これにより、被覆シート２３の浮き上がりを防止することができるため、埃等が飲み口２６や空気置換孔２７から容器本体１内に浸入するのを防ぐことができる。
【００２９】
以上、本発明について具体的な実施形態を示しながら説明したが、本発明に従うカップ容器は、上述した実施形態に限られるものではなく、特許請求の範囲に従う範疇で種々の変更を加えたものも含まれる。例えば、飲み口２６の開口面積が大きければ、飲み口２６を口に当てたときにも隙間ができるため、空気置換孔２７を設ける必要はない。また、前側スリット２８と後側スリット２９は、被覆シート２３に対して何れか一方のみを設けるようにしてもよいし、前後方向に異なる位置に更に別のスリットを設けてもよい。なお、上述した実施形態では、飲用用のカップ容器として説明したが、容器本体１に収容されるものは液体に限られず、固形物（粒状物を含む）でもよい。
【符号の説明】
【００３０】
１：容器本体
２：底部
３：胴部
４：フランジ
５：摘み片
６：弱化部
７：突起
８：切り欠き
９：係合突片
１０：凸部
２１：シール材
２２：基部シート
２３：被覆シート
２４：飲み口形成用スリット
２５：空気置換孔形成用スリット
２６：飲み口
２７：空気置換孔
２８：前側スリット（スリット）
２９：後側スリット（スリット）
Ｏ：中心軸線
Ｓ：収容空間
【図１】
2020083466.tif 000003
【図２】
2020083466.tif 000004
【図３】
2020083466.tif 000005
【図４】
2020083466.tif 000006